(57)【要約】【課題】  展示効果を損なうことなく、広告効果を付加することができる広告展示台を提供する。【解決手段】  広告展示台に、音声広告装置または光広告装置および人感知装置を内蔵する。人感知装置を備えることで、単調な内容の広告内容が繰り返し再生されることを避けることができる。人の位置や距離等の情報に応じて、音声広告装置および光広告装置の駆動の有無、駆動間隔、再生内容の制御をあらかじめ規定することもできる【選択図】    図１
0003108108.tif 000002
【実用新案登録請求の範囲】
【請求項１】
音声広告装置または光広告装置および人感知装置を内蔵することを特徴とする広告展示台
【考案の詳細な説明】
【技術分野】
【０００１】
この考案は、商品を乗せて展示するための展示台に関するものである。
【背景技術】
【０００２】
従来、商品を展示するための展示台としては、いわゆるショーケースや平棚、平台や懸架台が広く一般的に用いられている。
【考案の開示】
【考案が解決しようとする課題】
【０００３】
ところが、従来の展示台において広告効果を高めるため、テープレコーダー等の音声再生装置やテレビデオ等の画像再生装置を設置した場合には、広告効果は高まるものの、
展示効果が減退してしまうことが多かった。これは、再生装置が商品に比べて過大であるため再生装置に顧客の注意が注がれがちになることや、単調な内容の広告内容が繰り返し再生されることで、その刺激に顧客が慣れてしまうことが原因である。
【０００４】
この考案は、上記のような従来技術に存在する問題点に着目してなされたものである。その目的とするところは、展示効果を損なうことなく、広告効果を付加することができる広告展示台を提供することにある。
【課題を解決するための手段】
【０００５】
上記の目的を達成するために、本考案の広告展示台は、商品を乗せて展示するための装置であって、音声広告装置、光広告装置および人感知装置を備えることを特徴とする。
【考案の効果】
【０００６】
本考案の広告展示台は、商品を上に載せる機能を備えている。このため、広告展示台本体の大部分は使用時商品の下に隠され、顧客の関心を商品自身に向けることができる。広告展示台本体は、金属、樹脂、ガラス等を適宜組み合わせて構成することができる。また、広告展示台本体の全体または一部分を透明な樹脂やガラスにより構成することにより、光広告装置の広告効果を一層高めることができる。
【０００７】
一方、本考案の広告展示台は、音声広告装置および光広告装置若しくはその両方を備えている。音声広告装置としては、カセットテープ、ＣＤ、半導体記憶装置等各種の音声記録媒体に保存された音、若しくは電気通信回路により伝達される音により表現される広告内容を再生可能な装置であればその形態は問わないが、広告展示台が商品に比べて過大となる弊害を避けるためには、小型の半導体記憶装置等を利用するのが好適である。
【０００８】
また、光広告装置としては、電球、ネオン管、ＬＥＤ、フラッシュライト等の発光装置を利用して離れた位置にいる顧客の関心を商品の方向に向けることができるものや、ビデオカセット、ＤＶＤ、半導体記憶装置等各種の映像記録媒体に保存された映像、若しくは電気通信回路により伝達される映像により表現される広告内容を映像表示し、補助的な説明を可能とする装置を利用することができる。広告内容を映像表示する場合も、その形態は問わないが、広告展示台が商品に比べて過大となる弊害を避けるためには、小型の半導体記憶装置および液晶表示装置等を利用するのが好適である。
【０００９】
本考案の広告展示台は、人感知装置を備えることを特徴とする。これは、単調な内容の広告内容が繰り返し再生されることで、その刺激に顧客が慣れてしまうことの防止に効果がある。人感知装置は、振動センサー、照度センサー、赤外線センサー等の電磁波を利用したセンサーを適宜組み合わせ、センサーからの人感知信号の入力および制御プログラムの指示により音声広告装置および光広告装置を駆動および制御する機能を備えている。これにより、顧客となる人の位置や距離等の情報に応じて、音声広告装置および光広告装置の駆動の有無、駆動間隔、再生内容の制御をあらかじめ設定することができる。
【００１０】
本考案の広告展示台においては、外部の二次広告装置と連動するように設定することもできる。例えば、モーターの動力や圧力等により駆動できる二次広告装置において、駆動回路中にセンサー回路を設け、本考案の広告展示台から放たれる音や光を検知し、当該二次広告装置が駆動するように設定する。このようにセンサーを介して信号を伝播させることにより、簡便な機構と二次広告装置の自由な配置を両立させることができる。また、当該二次広告装置は、本考案の広告展示台に内蔵したり、接合することができる。
【考案を実施するための最良の形態】
【００１１】
以下にこの発明を具体化した一実施形態に基づいて詳細に説明する。
【実施例１】
【００１２】
図１に示される本考案の広告展示台は、半透明の樹脂製の正方台状であり、各角にフラッシュライトを上向きに内蔵した光広告装置を４個所と、中央下部に半導体記憶再生装置およびスピーカーからなる音声広告装置を１個所を備えている。音声広告装置および光広告装置は、広告展示台内部に配置された人感知装置により駆動可能な状態で接続されている。また、広告展示台各側面には各２個所づつ計８個所の人感知装置に接続された赤外線センサーが備えられている。
【００１３】
一方、図２には、本考案の広告展示台の使用例が示されている。広告展示台上部には被広告物である商品が積み重ねて展示してある。この広告展示台に一方から人が接近してきた場合には、広告展示台各側面各２個所づつ配置してある赤外線センサーのうち、より遠くの人を検知するセンサーが反応し、光広告装置が駆動されるように設定してある。光広告装置が駆動されると、フラッシュライトが間欠的に上方の商品に向けて光を放ち商品に注目を与える。
【００１４】
さらに、その人がより接近してきた場合には、もう一方のより近くの人を検知するセンサーが反応し、音声広告装置が駆動されるように設定してあるので、商品説明や音楽がスピーカーから再生されることにより、商品に対する興味を与えることができる。
【００１５】
本実施例では、２段階で人との距離を検知することができるので、近づいてきた場合に広告の程度を増し、反対に遠ざかって人が検知されない場合には、音声広告装置および光広告装置の駆動を停止することで、メリハリのある効果的な広告効果を与えることもできると同時に、消費電力を低減できる。
【産業上の利用可能性】
【００１６】
展示効果を損なうことなく、広告効果を付加することができる広告展示台を提供することができる。
【図面の簡単な説明】
【００１７】
【図１】本考案の広告展示台の側面図
【図２】本考案の広告展示台の使用例を示す参考図
【符号の説明】
【００１８】
１      広告展示台
２      音声広告装置
３      赤外線センサー
４      光広告装置
５      商品
【図１】
0003108108.tif 000003
【図２】
0003108108.tif 000004
【手続補正書】
【提出日】平成16年11月10日(2004.11.10)
【手続補正１】
【補正対象書類名】実用新案登録請求の範囲
【補正対象項目名】全文
【補正方法】変更
【補正の内容】
【実用新案登録請求の範囲】
【請求項１】
音声広告装置または光広告装置のうち少なくとも一方と、音声広告装置または光広告装置のうち少なくとも一方を駆動および制御する機能を備えた人感知装置を内蔵することを特徴とする広告展示台
【手続補正２】
【補正対象書類名】明細書
【補正対象項目名】全文
【補正方法】変更
【補正の内容】
【考案の詳細な説明】
【技術分野】
【０００１】
この考案は、商品を乗せて展示するための展示台に関するものである。
【背景技術】
【０００２】
従来、商品を展示するための展示台としては、いわゆるショーケースや平棚、平台や懸架台が広く一般的に用いられている。
【考案の開示】
【考案が解決しようとする課題】
【０００３】
ところが、従来の展示台において広告効果を高めるため、テープレコーダー等の音声再生装置やテレビデオ等の画像再生装置を設置した場合には、広告効果は高まるものの、展示効果が減退してしまうことが多かった。これは、再生装置が商品に比べて過大であるため再生装置に顧客の注意が注がれがちになることや、単調な内容の広告内容が繰り返し再生されることで、その刺激に顧客が慣れてしまうことが原因である。
【０００４】
この考案は、上記のような従来技術に存在する問題点に着目してなされたものであり、その目的とするところは、展示効果を損なうことなく、広告効果を付加することができる広告展示台を提供することにある。
【課題を解決するための手段】
【０００５】
上記の目的を達成するために、本考案の広告展示台は、商品を乗せて展示するための装置であって、音声広告装置または光広告装置のうち少なくとも一方と、音声広告装置または光広告装置のうち少なくとも一方を駆動および制御する機能を備えた人感知装置を内蔵することを特徴とする。
【考案の効果】
【０００６】
本考案の広告展示台は、商品を上に載せる機能を備えている。このため、広告展示台本体の大部分は使用時商品の下に隠され、顧客の関心を商品自身に向けることができる。広告展示台本体は、金属、樹脂、ガラス等を適宜組み合わせて構成することができる。また、広告展示台本体の全体または一部分を透明な樹脂やガラスにより構成することにより、光広告装置の広告効果を一層高めることができる。
【０００７】
一方、本考案の広告展示台は、音声広告装置または光広告装置のうち少なくとも一方を備えている。音声広告装置としては、カセットテープ、ＣＤ、半導体記憶装置等各種の音声記録媒体に保存された音、若しくは電気通信回路により伝達される音により表現される広告内容を再生可能な装置であればその形態は問わないが、広告展示台が商品に比べて過大となる弊害を避けるためには、小型の半導体記憶装置等を利用するのが好適である。
【０００８】
また、光広告装置としては、電球、ネオン管、ＬＥＤ、フラッシュライト等の発光装置を利用して離れた位置にいる顧客の関心を商品の方向に向けることができるものや、ビデオカセット、ＤＶＤ、半導体記憶装置等各種の映像記録媒体に保存された映像、若しくは電気通信回路により伝達される映像により表現される広告内容を映像表示し、補助的な説明を可能とする装置を利用することができる。広告内容を映像表示する場合も、その形態は問わないが、広告展示台が商品に比べて過大となる弊害を避けるためには、小型の半導体記憶装置および液晶表示装置等を利用するのが好適である。
【０００９】
本考案の広告展示台は、人感知装置を備えることを特徴とする。これは、単調な内容の広告内容が繰り返し再生されることで、その刺激に顧客が慣れてしまうことの防止に効果がある。人感知装置は、振動センサー、照度センサー、赤外線センサー等の電磁波を利用したセンサーを適宜組み合わせ、センサーからの人感知信号の入力および制御プログラムの指示により音声広告装置または光広告装置のうち少なくとも一方を駆動および制御する機能を備えている。これにより、顧客となる人の位置や距離等の情報に応じて、音声広告装置または光広告装置の駆動の有無、駆動間隔、再生内容の制御をあらかじめ設定することができる。
【００１０】
本考案の広告展示台においては、外部の二次広告装置と連動するように設定することもできる。例えば、モーターの動力や圧力等により駆動できる二次広告装置において、駆動回路中にセンサー回路を設け、本考案の広告展示台から放たれる音や光を検知し、当該二次広告装置が駆動するように設定する。このようにセンサーを介して信号を伝播させることにより、簡便な機構と二次広告装置の自由な配置を両立させることができる。また、当該二次広告装置は、本考案の広告展示台に内蔵したり、接合することができる。
【考案を実施するための最良の形態】
【００１１】
以下にこの発明を具体化した一実施形態に基づいて詳細に説明する。
【実施例１】
【００１２】
図１に示される本考案の広告展示台は、半透明の樹脂製の正方台状であり、各角にフラッシュライトを上向きに内蔵した光広告装置を４個所と、中央下部に半導体記憶再生装置およびスピーカーからなる音声広告装置を１個所を備えている。音声広告装置および光広告装置は、広告展示台内部に配置された人感知装置により駆動可能な状態で接続されている。また、広告展示台各側面には各２個所づつ計８個所の人感知装置に接続された赤外線センサーが備えられている。
【００１３】
一方、図２には、本考案の広告展示台の使用例が示されている。広告展示台上部には被広告物である商品が積み重ねて展示してある。この広告展示台に一方から人が接近してきた場合には、広告展示台各側面各２個所づつ配置してある赤外線センサーのうち、より遠くの人を検知するセンサーが反応し、光広告装置が駆動されるように設定してある。光広告装置が駆動されると、フラッシュライトが間欠的に上方の商品に向けて光を放ち商品に注目を与える。
【００１４】
さらに、その人がより接近してきた場合には、もう一方のより近くの人を検知するセンサーが反応し、音声広告装置が駆動されるように設定してあるので、商品説明や音楽がスピーカーから再生されることにより、商品に対する興味を与えることができる。
【００１５】
本実施例では、２段階で人との距離を検知することができるので、近づいてきた場合に広告の程度を増し、反対に遠ざかって人が検知されない場合には、音声広告装置および光広告装置の駆動を停止することで、メリハリのある効果的な広告効果を与えることもできると同時に、消費電力を低減できる。
【産業上の利用可能性】
【００１６】
展示効果を損なうことなく、広告効果を付加することができる広告展示台を提供することができる。
【図面の簡単な説明】
【００１７】
【図１】本考案の広告展示台の側面図
【図２】本考案の広告展示台の使用例を示す参考図
【符号の説明】
【００１８】
１      広告展示台
２      音声広告装置
３      赤外線センサー
４      光広告装置
５      商品